(57)【要約】      （修正有）【課題】設定器の校正作業及び調整作業を自動で行う耐候性試験機を提供する。【解決手段】耐候性試験機の試験槽内に設定器４ａと校正用測定器６ａを配置し、環境状態の測定を行い、設定器の設定部３ａで、設定器４ａの測定値と校正用測定器６ａの測定値を比較し、設定器４ａの測定値が校正用測定器６ａの測定値に対して許容差から外れていれば調整する自動校正システムを備える。【選択図】図１
0003188249.tif 000002
【実用新案登録請求の範囲】
【請求項１】
検出部と、測定回路と、設定部とからなる設定器と、
校正用測定器と、
表示操作部とを有し、
自動で前記設定器の校正を行い必要に応じて調整をする自動校正システムを備える耐候性試験機。
【請求項２】
前記設定部及び前記校正用測定器は、夫々無線通信手段を有する請求項1に記載の耐候性試験機。
【考案の詳細な説明】
【技術分野】
【０００１】
本考案は、耐候性試験機に関する。更に詳しくは、耐候性試験機用設定器の校正を自動で行うことができる耐候性試験機に関するものである。
【背景技術】
【０００２】
耐候性試験とは、太陽光線・温度・湿度・雨などの屋内外の自然環境による製品・材料の劣化を促進的に再現して評価する試験である。また、耐候性試験機は、太陽光に近似した分光分布の光を所定の放射照度で試料に照射しつつ、温度・湿度・雨などといった屋内外の環境条件を人工的に再現して促進的に劣化させる試験機である。試験中、槽内の環境状態は、付属された各種機器の設定器によって測定され、設定値と同じ値になるように各種機器を制御し、調整される。
【０００３】
耐候性試験の再現性を良くするには、各環境状態を正確に測定して設定条件と同じ条件になるように制御することが重要である。したがって、設定器の値を定期的に確認する校正作業を行い、必要に応じて調整作業を行う。つまり、試験中に各環境状態を測定する設定器の測定値を校正用測定器の測定値と比較する校正を行い、許容差から外れていれば調整する。
【０００４】
特許文献１では、受光部と計測部と演算回路と放射照度表示部からなる校正用放射照度測定器（耐候光試験装置用放射照度設定器の校正装置）の技術が記載されている。
【先行技術文献】
【特許文献】
【０００５】
【特許文献１】実用新案出願公開平３−６３８２７
【考案の開示】
【考案が解決しようとする課題】
【０００６】
従来の校正では、日常的には取り付けられていない校正用測定器を、校正する際にのみ、試験槽内に設定器と並べて取り付けて環境状態の測定を行い、試験槽外部から作業者が校正用測定器の表示部に表示された測定値を目視で読み取り、記録紙に書き込み、設定器の測定値と比較していた。その際、設定器の測定値が、校正用測定器の測定値に対して許容差から外れていれば、校正用測定器の測定値を表示操作部を通して設定器に手動で入力、調整していた。この校正と調整を行う一連の作業は、手動であり、ヒューマンエラーを起こす可能性があり、これらの不都合を解決することが切望されていた。
【０００７】
本考案は、上記問題を鑑みて考案された。本考案の目的は、自動で校正と必要に応じて行われる調整を行うことができる耐候性試験機を提供することである。
【課題を解決するための手段】
【０００８】
上記目的を達成するために、本考案の耐候性試験機は、検出部と、測定回路と、設定部とからなる設定器と、校正用測定器と、表示操作部とを有し、自動で前記設定器の校正を行い必要に応じて調整をする自動校正システムを備える。
【０００９】
また、上記目的を達成するために、本考案の耐候性試験機の前記設定部及び前記校正用測定器は、夫々無線通信手段を備える。
【考案の効果】
【００１０】
本考案の耐候性試験機は、校正及び校正の結果、必要に応じて行われる調整作業を自動化でき、人による測定値の読み取り・書き込み作業、比較作業、かつ表示操作部を通して設定器に校正用測定器の測定値を入力する作業がないため、ヒューマンエラーを起こす可能性をなくすことができる。
また、設定部及び校正用測定器に夫々無線通信手段を設けることで、校正用測定器の試験槽内への設置・取り外しを容易にすることができる。
【図面の簡単な説明】
【００１１】
【図１】本考案の耐候性試験機１０において放射照度設定器４ａの校正に関わる箇所を抜き出した構成図である。
【図２】本考案の耐候性試験機１０において無線通信機を使用した放射照度設定器４ｂの校正に係る箇所を抜き出した構成図である。
【図３】本考案の耐候性試験機１０の正面図である。
【考案を実施するための最良の形態】
【００１２】
本考案の自動校正システムで設定器の校正を行う耐候性試験機１０について、放射照度設定器４の校正を例として説明する。
【実施例１】
【００１３】
図１は、本考案の耐候性試験機１０において、放射照度設定器４ａの校正に関わる箇所を抜き出した構成図である。
放射照度設定器４ａは、受光器１、測定回路２及び設定部３ａからなる。受光器１により光源７からの光を受光し、測定回路２に受光器１からの信号が送信される。測定回路２はその信号から測定値に変換し、設定部３ａにその測定値を送信する。設定部３ａは表示操作部５上に放射照度設定器４ａの測定値を表示する。同時に設定部３ａは、放射照度設定器４ａの測定値が環境条件として設定した値となるように、光源７の点灯強度を制御している。
【００１４】
校正用放射照度測定器６ａは、図示はしない受光部によって放射照度を測定し、設定部３ａに校正用放射照度測定器６ａの測定値の信号を送る。設定部３ａは、自動で放射照度設定器４ａの測定値が校正用放射照度測定器６ａの測定値に対して許容差から外れていれば調整するとともに表示操作部５に校正用放射照度測定器６ａの測定値を表示する。
また、放射照度設定器４ａの校正前の測定値と校正後の測定値を表示操作部５上で表示することができる。
【００１５】
図２は、本考案の耐候性試験機１０において、無線通信機を使用した放射照度設定器４ｂの校正に関わる箇所を抜き出した構成図である
校正用放射照度測定器６ｂは、無線通信機８を有し、設定部３ｂは無線通信機９を有する。
無線通信機８は、校正用放射照度測定器６ｂの測定値を無線通信機９に送り、設定部３ｂは、自動で放射照度設定器４ｂの測定値が無線通信機９で受け取った校正用放射照度測定器６ｂの測定値に対して許容差から外れていれば調整するともに表示操作部５に校正用放射照度測定器６ｂの測定値を表示する
また、放射照度設定器４ｂの校正前の測定値と校正後の測定値を表示操作部５上で表示することができる。
また、校正用放射照度測定器６ｂ内の無線通信手段８と放射照度設定器４ｂ内の無線通信手段９によって情報伝達を行うので、有線での情報伝達手段に比べて、試験槽内での校正用放射照度測定器６ｂの設置及び取り外しを容易に行うことができる。
【００１６】
図３は本考案の耐候性試験機１０の構成図である。
放射照度設定器４の受光器１と、校正用放射照度測定器６の受光面を試料１１と同様の位置に設置し、校正を行う。
【００１７】
本実施例では、自動で放射照度設定器４の校正を行うことができる耐候性試験機１０について説明を行ったが、例えばブラックパネル温度計やブラックスタンダード温度計など耐候性試験機に用いる他の設定器や校正用測定器に置き換えることにより応用が可能であり、放射照度設定器に限定されるものではない。
【符号の説明】
【００１８】
１  受光器
２  測定回路
３ａ、３ｂ  設定部
４、４ａ、４ｂ  放射照度設定器
５  表示操作部
６、６ａ、６ｂ  校正用放射照度測定器
７  光源
８  無線通信機
９  無線通信機
１０  耐候性試験機
１１  試料
【図３】
0003188249.tif 000003
【図１】
0003188249.tif 000004
【図２】
0003188249.tif 000005
【手続補正書】
【提出日】平成25年11月5日(2013.11.5)
【手続補正１】
【補正対象書類名】実用新案登録請求の範囲
【補正対象項目名】請求項１
【補正方法】変更
【補正の内容】
【請求項１】
試験槽内の環境状態を検出する検出部と、
前記検出部で検出したデータを測定値に変換する測定回路と、
前記測定値が設定した環境条件となるように機器を制御する設定部とからなる設定器と、
校正用として前記設定器と同様の環境状態を測定する校正用測定器と、
前記設定器の測定値を表示する表示操作部とを有し、
自動で前記校正用測定器の測定値を用いて前記設定器の校正を行い必要に応じて調整をする自動校正システムを備える耐候性試験機。